(57)【特許請求の範囲】
【請求項１】
棚板上に該棚板の前後方向に延在して配置され、商品が棚板の前後方向に整列して載置される陳列基台と、前記陳列基台に該陳列基台の長手方向に移動可能に設けられ、前記陳列基台上の整列商品を後方から押圧して陳列基台の前端方向へ移動させる商品押圧体を備える商品陳列具であって、
前記棚板の前端部には前記陳列基台を前記棚板上に保持する結合手段を棚板の左右方向に沿い配設し、前記陳列基台の前端には前記結合手段に係脱可能に係合され、かつ該結合手段の長手方向に摺動可能な係合部を設けたことを特徴とする商品陳列具。
【請求項２】
前記結合手段は、前記係合部が係脱可能にかつ摺動可能に係合されるバー部材と、このバー部材に該バー部材から離間する方向に延在して形成した係合片とから構成され、前記係合片を前記棚板の前端部に上方に開口して形成した係合溝に圧入することにより、結合手段を棚板に固定することを特徴とする請求項１記載の商品陳列具。
【請求項３】
前記結合手段は、前記係合部が係脱可能にかつ摺動可能に係合されるバー部材と、このバー部材の長手方向の複数箇所に同一方向に突出して形成した結合ロッドとから構成され、前記結合ロッドを前記棚板の前端部に形成した係合孔に係合することにより、結合手段を棚板に固定することを特徴とする請求項１記載の商品陳列具。
【請求項４】
前記結合手段は、前記バー部材の上方に位置して平行に延在する商品ころび止め部材を更に備えることを特徴とする請求項２又は３に記載の商品陳列具。
【請求項５】
前記陳列基台の前記棚板と接する面に棚板に吸着するマグネットを設けたことを特徴とする請求項１記載の商品陳列具。
【請求項６】
前記商品押圧体は、主押圧部材と該主押圧部材の表面に重ね合わされる補助押圧部材を備え、該補助押圧部材に突設した結合ピンを、主押圧部材に形成した長孔に結合させて該補助押圧部材を該主押圧部材に対して回動又は移動することにより、前記商品との押圧面積を増減させるものであることを特徴とする請求項１記載の商品陳列具。
【請求項７】
前記陳列基台は、該陳列基台の前端から後端に至る長さの引き出し部材を備え、前記引き出し部材は前記陳列基台に該陳列基台の前端から前方へ引き出せるように陳列基台の長手方向に沿い摺動可能に設けられているとともに、前記引き出し部材の後端には前記陳列基台に摺動可能に係合し引き出し部材の引き出し操作時に前記商品押圧体に係合する係合部を設け、さらに前記引き出し部材を前記陳列基台に収納できる方向に付勢する付勢手段を前記陳列基台に設けたことを特徴とする請求項１記載の商品陳列具。
【発明の詳細な説明】
【０００１】
【発明の属する技術分野】
本発明は、商品を前後方向に整列して陳列する商品陳列棚において、陳列された商品が前方から抜き取られるのに応じて、後方の商品を前方に移動できる商品陳列具に関し、さらに詳しくは、商品陳列棚の棚板上への固定及び棚板上での移動を簡便にした商品陳列具に関するものである。
【０００２】
【従来の技術】
従来、商品を前後方向に整列して陳列する商品陳列棚において、陳列された商品が前方から抜き取られるのに応じて、後方の商品を前方に移動させる商品陳列具としては、実開平１−１３３４４９号公報に開示するものが知られている。
この種の商品陳列具において、商品陳列具を商品陳列用の棚板上にその前後方向に沿って固定する方法としては、商品を前後方向に整列して載置する陳列基台の前端下面に突部を形成し、かつ商品陳列用棚板の前端部には、上方に向け開口する係合溝を棚板の横方向の全長に亘り形成し、この係合溝に突部を差し込むことにより、商品陳列具を棚板上に固定する第１の固定方式、または、商品陳列具の陳列基台の下面に両面粘着テープなどの粘着シートを貼り付け、この粘着シートにより商品陳列具を棚板上に固定する第２の固定方式が知られている。
【０００３】
【発明が解決しようとする課題】
しかしながら、上記のような従来の第１の固定方式は、突部を係合溝に差し込むことにより商品陳列具を棚板上に固定するものであるため、棚板上で商品陳列具の固定位置を変更したり、商品陳列具の配列間隔を調整しようとする場合は、突部を係合溝から引き抜いて商品陳列具を棚板から分離しない限り移動することができない。その結果、商品陳列具の固定位置の変更作業及び商品陳列具の間隔調整作業が煩雑になり、多くの時間が要するという問題がある。また、商品陳列具の突部は陳列基台の下面に突出する構造になっているため、陳列基台の部分を積み重ねて商品陳列具を保管管理する場合、突部が邪魔になって、商品陳列具の積み重ねが不安定になり、保管時の製品に荷崩れが起こり易いという不具合がある。
【０００４】
また、上記第２の固定方式では、商品陳列具の固定位置の変更などに際し、商品陳列具を棚板から引き剥した場合、粘着シートの粘着力が低下してしまい、新たな粘着シートに交換しないと商品陳列具を棚板に安定して固定することができないほか、商品陳列具の位置変更作業などが更に煩雑になるという問題がある。また、粘着シートを引き剥した棚板などの表面には粘着剤が残留するため、この残留粘着剤及び該残留粘着剤に塵埃などが付着することにより棚板などの表面が汚損されてしまうという問題があった。
【０００５】
従って、本発明の目的は、棚板から分離することなく棚板上の所望に位置に容易に移動できる商品陳列具を提供することにある。
【０００６】
【課題を解決するための手段】
上記目的を達成するために本発明の請求項１に記載の発明は、棚板上に該棚板の前後方向に延在して配置され、商品が棚板の前後方向に整列して載置される陳列基台と、前記陳列基台に該陳列基台の長手方向に移動可能に設けられ、前記陳列基台上の整列商品を後方から押圧して陳列基台の前端方向へ移動させる商品押圧体を備える商品陳列具であって、前記棚板の前端部には前記陳列基台を前記棚板上に保持する結合手段を棚板の左右方向に沿い配設し、前記陳列基台の前端には前記結合手段に係脱可能に係合され、かつ該結合手段の長手方向に摺動可能な係合部を設けたことを特徴とする。
【０００７】
請求項２に記載の発明は、前記結合手段が、前記係合部が係脱可能にかつ摺動可能に係合されるバー部材と、このバー部材に該バー部材から離間する方向に延在して形成した係合片とから構成され、前記係合片を前記棚板の前端部に上方に開口して形成した係合溝に圧入することにより、結合手段を棚板に固定することを特徴とする。
請求項３に記載の発明は、前記結合手段が、前記係合部が係脱可能にかつ摺動可能に係合されるバー部材と、このバー部材の長手方向の複数箇所に同一方向に突出して形成した結合ロッドとから構成され、前記結合ロッドを前記棚板の前端部に形成した係合孔に係合することにより、結合手段を棚板に固定することを特徴とする。
請求項４に記載の発明は、前記結合手段が、前記バー部材の上方に位置して平行に延在する商品ころび止め部材を更に備えることを特徴とする。
請求項５に記載の発明は、前記陳列基台の前記棚板と接する面に棚板に吸着するマグネットを設けたことを特徴とする。
請求項６に記載の発明は、前記商品押圧体は、主押圧部材と該主押圧部材の表面に重ね合わされる補助押圧部材を備え、該補助押圧部材に突設した結合ピンを、主押圧部材に形成した長孔に結合させて該補助押圧部材を該主押圧部材に対して回動又は移動することにより、前記商品との押圧面積を増減させるものであることを特徴とする。
請求項７に記載の発明は、前記陳列基台が、該陳列基台の前端から後端に至る長さの引き出し部材を備え、前記引き出し部材は前記陳列基台に該陳列基台の前端から前方へ引き出せるように陳列基台の長手方向に沿い摺動可能に設けられているとともに、前記引き出し部材の後端には前記陳列基台に摺動可能に係合し引き出し部材の引き出し操作時に前記商品押圧体に係合する係合部を設け、さらに前記引き出し部材を前記陳列基台に収納できる方向に付勢する付勢手段を前記陳列基台に設けたことを特徴とする。
【０００８】
本発明においては、棚板の前端部に配設した凸状結合手段に商品陳列具の凹状係合部を係脱可能にかつ摺動可能に係合する構成にすることにより、商品陳列具の係合部を結合手段に係合したまま棚板から分離することなく棚板上の所望に位置に容易に移動でき、商品陳列具を棚板上の所望に位置に容易にセットできる。また、従来のように、棚板の前端部に配設した凹部結合手段と商品陳列具の凸部係合部との係合関係と異なり逆の係合関係にあるため、係合部外観が丸みを帯て捉えられ意匠上の見栄えもよい。また、本発明においては、補助押圧部材により商品に対する商品押圧体の押圧面積を増減できるから、商品の形状や大きさに合わせて商品に対する商品押圧体の押圧面積を最適に設定できる。
また、本発明においては、商品陳列具の陳列基台をマグネットにより棚板に吸着させることにより、商品陳列具を棚板上の希望の箇所に安定して固定することができる。また、本発明においては、結合手段に商品ころび止め部材を設けることにより、結合手段に商品のころび止め機能を発揮させることができる。
【０００９】
【発明の実施の形態】
本発明の実施の形態について、図１〜図１６を参照して説明する。
図１は本発明の実施の形態における商品陳列具を棚板に組み付けた全体の構成を示す斜視図、図２は本発明の実施の形態における商品陳列具の側面図、図３は図２の平面図、図４は図３のＡ−Ａ線に沿う拡大断面図、図５は本発明の第１の実施の形態における結合手段の正面図、図６は図５の左側面図である。
【００１０】
図１〜図４において、商品陳列具１０は、商品Ａを陳列する金属製棚板１１の前後方向に沿い整列した状態に載置する陳列基台１２と、この陳列基台１２上にその長手方向に移動可能に設けた商品押圧体１３等を備える。
陳列基台１２は、棚板１１の前後方向に延在する長さにほぼ相当する長さを有する合成樹脂製の板材から成形され、この陳列基台１２の幅方向の両側縁には、商品押圧体１３を陳列基台１２の長手方向に沿って移動可能に案内する案内部１２１が形成されている。
【００１１】
商品押圧体１３は陳列基台１２上の整列商品を後方から陳列基台１２の前端側へ移動させるもので、合成樹脂材から成形され、陳列基台１２の上面と摺接するとともに案内部１２１に係合する基部１３１と、この基部１３１から陳列基台１２の上方に向け延在する主押圧部材１３２と、商品Ａに対する主押圧部材１３２の押圧面積を商品の大きさに応じて変化させる板状の補助押圧部材１３３を備える。補助押圧部材１３３は主押圧部材１３２の表面に重ね合わされる状態に配置され、この補助押圧部材１３３の一部を主押圧部材１３の表面に沿い当該表面から図１の２点鎖線に示すように突出する方向に移動することにより、商品Ａに対する押圧面積を押圧される商品の大きさ、すなわち商品の高さまたは横幅寸法に応じて変化できるようになっている。このために、補助押圧部材１３３に突設した結合ピン１３４を主押圧部材１３２に形成した長孔１３５に挿通することにより、補助押圧部材１３３を主押圧部材１３２に結合し、この結合ピン１３４を中心にして補助押圧部材１３２を回動することにより、もしくは長孔１３５に沿って補助押圧部材１３２を移動することにより商品に対する押圧面積を変化させるようになっている。
【００１２】
また、商品陳列具１０は、図１〜図４に示すように、商品押圧体１３を陳列基台１２の前端側へ移動させる合成樹脂製の可撓性引き出し部材１４を備え、この引き出し部材１４は陳列基台１２の前端から後端に至る長さを有する。そして、引き出し部材１４は、陳列基台１２の上面にその長手方向に沿って形成したガイド溝１２２内に摺動可能に係合され、さらに、引き出し部材１４がガイド溝１２２から離脱するのを防止するための防止爪１２３が陳列基台１２に形成されている。引き出し部材１４の前端には、操作つまみ１４１が形成され、引き出し部材１４の後端には、陳列基台１２の上面と摺接するとともに案内部１２１に係合する係合部１４２が一体に形成されており、この係合部１４２に突設したばね掛け部１４３と陳列基台１２の後端間には、引き出し部材１４を陳列基台１２内に収納できる方向に付勢するコイルばね１４４（付勢手段）が掛け渡されている。
【００１３】
棚板１１の前端部には、陳列基台１２を棚板１１上に保持するための結合手段１５が棚板１１の左右方向のほぼ全長に亘り配設されている。また、陳列基台１２の前端には結合手段１５に係脱可能に係合され、かつ結合手段１５の長手方向に摺動可能な断面が半円形状よりやや大きいめの形状を有する係合部１２５が設けられている。結合手段１５は、図１、図５及び図６に示すように、係合部１２５が係脱可能にかつ摺動可能に係合される金属製の丸棒材からなるバー部材１５１と、このバー部材１５１の両端と中間部にバー部材１５１から離間する同一の方向に延在して形成した扁平状の係合片１５２とから構成される。そして、この各係合片１５２を棚板１１の前端部に棚板１１の長手方向に沿い形成した上方に開口する係合溝１１１に圧入することにより、結合手段１５を棚板１１に固定できる構成になっている。また、棚板１１と接する陳列基台１２の後端下面には、棚板１１に吸着して陳列基台１２の後端を棚板１１に固定するマグネット１６が設けられている。
【００１４】
図１において、１７は棚板１１上に商品陳列具１０に隣接して陳列基台１２と平行に配置された商品仕切ユニットであり、この商品仕切ユニット１７は、棚板１１の前後方向に延在する長さの基板１７１と、この基板１７１上に該基板１７１の全長に亘り鉛直に設けた仕切板１７２と、この仕切板１７２の前端に設けた商品前倒れ防止板１７３と、結合手段１５のバー部材１５１に係脱可能に係合し、かつバー部材１５１の長手方向に摺動可能な係合部１７４とから構成されている。
【００１５】
上記のように構成された商品陳列具１０を棚板１１上の希望の箇所にセットする場合は、結合手段１５の係合片１５２を棚板１１の係合溝１１１に圧入して、結合手段１５を棚板１１に固定する。次に、陳列基台１２の係合部１２５を結合手段１５のバー部材１５１に係合する。この状態で、商品陳列具１０をバー部材１５１に沿い棚板１１上の配置したい位置に移動し、商品陳列具１０の陳列基台１２の下面を棚板１１の上面に接触させることで、マグネット１６を棚板１１に吸着させる。これにより、商品陳列具１０を棚板１１上の希望の箇所に安定して固定することができる。
【００１６】
また、商品陳列具１０に隣接して仕切ユニット１７を棚板１１上の希望の箇所にセットする場合は、仕切ユニット１７の係合部１７１を結合手段１５のバー部材１５１に係合する。この状態で、仕切ユニット１７をバー部材１５１に沿い商品陳列具１０に隣接する希望の位置に移動し、この位置で仕切ユニット１７を棚板１１上にセットすることにより可能となる。
【００１７】
上記のようにして棚板１１にセットされた商品陳列具１０の陳列基台１２上に商品Ａを載置する場合は、まず、商品押圧体１３を陳列基台１２の後端まで移動する。この状態の商品押圧体１３と商品仕切ユニット１７の商品前倒れ防止板１７３間に多数の商品Ａを一列に整列して載置する。このようにして陳列された商品陳列具１０上の整列商品Ａを最前端の商品から順に抜き取る。そして、商品の抜き取りにより陳列基台１２の前端部に隙間が生じた場合は、引き出し部材１４の操作つまみ１４１を指により把持して、引き出し部材１４を陳列基台１２の前方に引き出す。これに伴い、引き出し部材１４の係合部１４２が商品押圧体１３の基部１３１に係止するため、商品押圧体１３は陳列基台１２上の整列商品Ａと共に陳列基台１２の前端側へ移動される。これにより、整列商品Ａの最先端の商品が商品前倒れ防止板１７３に突き当たる状態にする。また、整列商品Ａが商品前倒れ防止板１７３に突き当たる状態まで移動されたならば、引き出し部材１４に対する引っ張り力を解除する。すると、引き出し部材１４はコイルばね１４４により自動的に後退移動し、陳列基台１２内に収納される。
【００１８】
また、陳列基台１２上に載置される商品Ａの形状及び大きさに応じて、該商品を押圧する商品押圧体１３の押圧面積を変更する場合、例えば、陳列基台１２上に載置される商品がスナック菓子等の袋物商品のように幅寸法が大きくなって、商品押圧体１３の主押圧部材１３２のみでは商品の押圧に支障を来す場合は、図１の２点鎖線１８に示すように、結合ピン１３４を中心にして補助押圧部材１３３を主押圧部材１３２に対して９０度の角度または４５度の角度に回動させる。これにより、袋物商品に対する押圧面積を主押圧部材１３２の商品押圧面に補助押圧部材１３４の押圧面積を加えた大きさの押圧面積に変更することができる。また、主押圧部材１３２の高さ寸法では不足する背の高い商品を押圧する場合は、補助押圧部材１３３を主押圧部材１３２の長孔１３５に沿って図１の２点鎖線１９に示すように上方に移動させ、商品押圧体１３全体の高さを伸張することにより、商品押圧体１３の押圧面積を商品の高さ寸法に合った大きさの押圧面積に変更することができる。
【００１９】
従って、本実施の形態によれば、棚板１１の前端部に丸棒材からなる結合手段１５を棚板１１のほぼ全長にわたり配設し、この結合手段１５に商品陳列具１０の陳列基台１２の前端に設けた断面が半円形状よりやや大きいめの形状を有する係合部１２５を係脱可能にかつ摺動可能に係合する構成にしたから、陳列基台１２の係合部１２４を結合手段１５に係合したまま棚板１１から分離することなく棚板１１上の所望に位置に容易に移動でき、商品陳列具１０を棚板１１上の所望に位置に容易にセットすることができる。これに伴い、商品陳列具１０の固定位置を変更する時、及び商品陳列具１０の間隔を調整する時の作業が容易になり、その作業時間も短縮できる。また、商品陳列具１０を棚板１１上にセットする時、従来のような粘着シートを使用しないため、棚板１１等を汚損するおそれがなく、商品陳列具１０及び棚板１１を常に清潔な状態に維持できる。さらに、陳列基台１２の下面には突起部材が何も存在しないため、陳列基台１２の部分を積み重ねて商品陳列具１０を保管する場合、商品陳列具１０の積み重ねが安定し、商品陳列具１０の保管管理が容易になる。
【００２０】
また、本実施の形態によれば、横幅寸法の大きな袋物商品の前出しに際し、当該袋物商品に対する商品押圧体１３の押圧面積を補助押圧部材１３３により拡大できるから、袋物商品に対する押圧力が分散され、これに伴い、袋物商品の内容物がスナック菓子等のような破損され易いものであっても、その内容物が破損されることがなく、商品を安全に前出しすることができる。また、主押圧部材１３２の高さ寸法では不足する背の高い商品の前出しに際しては、補助押圧部材１３３を主押圧部材１３２から上方へ伸張することにより、商品押圧体１３の押圧面積を商品の高さ寸法に合った大きさの押圧面積に変更することができる。これにより、商品に対する商品押圧体の押圧面積を増減でき、商品の形状や大きさに合わせて商品に対する商品押圧体の押圧面積を最適に設定できる。また、商品陳列具１０の陳列基台１２をマグネット１６により棚板１１に吸着させることにより、商品陳列具１０を棚板１１上の希望の箇所に安定して固定することができる。
【００２１】
また、本実施の形態によれば、商品仕切ユニット１７の前端に設けた係合部１７４を結合手段１５の丸棒材からなるバー部材１５１に係脱可能に、かつバー部材１５１の長手方向に摺動可能に係合できる構成にしたので、仕切ユニット１７をバー部材１５１に係合させたまま商品陳列具１０に隣接する希望の位置に移動し、この位置で仕切ユニット１７を棚板１１上にセットすることができる。
【００２２】
次に、図７及び図８により本発明による結合手段の第２の実施の形態について説明する。図７は本発明の第２の実施の形態における結合手段の正面図、図８は図７の左側面図である。この第２の実施の形態に示す結合手段２０は、合成樹脂製の成形品であり、商品陳列具１０の係合部１２５及び商品仕切ユニット１７の係合部１７４が係脱可能にかつ摺動可能に係合するバー部２０１と、このバー部２０１にその長手方向に沿い連続して形成され、かつバー部２０１から離間する方向に延在する係合片２０２とから構成され、この係合片２０２を図１に示す棚板１１の係合溝１１１に圧入することにより、結合手段２０を棚板１１に固定できるようにしたものである。この第２の実施の形態に結合手段２０においても上述した第１の実施の形態と同様な作用効果を得ることができる。
【００２３】
次に、図９及び図１０により本発明による結合手段の第３の実施の形態について説明する。図９は本発明の第３の実施の形態における結合手段の正面図、図１０は図９の左側面図である。この第３の実施の形態に示す結合手段３０は、商品陳列具１０の係合部１２５及び商品仕切ユニット１７の係合部１７４が係脱可能にかつ摺動可能に係合するバー部３０１と、このバー部３０１の下面側にその長手方向に沿い連続して形成した鍔部３０２と、この鍔部３０２の下面に該鍔部３０２の長手方向に所定間隔離して突設した複数の結合用割ピン３０３とから構成され、この結合用割ピン３０３を、図１に示すように棚板１１の前端部にその長手方向に沿い形成した係合孔１１２に係合することにより、結合手段３０を棚板１１に固定できるようにしたものである。この第３の実施の形態に結合手段３０においても上述した第１の実施の形態と同様な作用効果を得ることができる。
【００２４】
次に、図１１及び図１２により本発明による結合手段の第４の実施の形態について説明する。図１１本発明の第４の実施の形態における結合手段の正面図、図１２は図１１の左側面図である。この第４の実施の形態に示す結合手段４０は、商品陳列具１０の係合部１２５及び商品仕切ユニット１７の係合部１７４が係脱可能にかつ摺動可能に係合する丸棒状のバー部４０１と、このバー部４０１の両端に下方に延出して設けたロッド４０２とから構成され、このロッド４０２を、図１に示すように棚板１１の前端部にその長手方向に沿い形成した係合孔１１２に係合することにより、結合手段４０を棚板１１に固定できるようにしたものである。この第４の実施の形態に結合手段４０においても上述した第１の実施の形態と同様な作用効果を得ることができる。
【００２５】
次に、図１３〜図１５により本発明による結合手段の第５の実施の形態について説明する。図１３は本発明の第５の実施の形態における結合手段の正面図、図１４は図１３の平面図、図１５は図１３の左側面図である。この第５の実施の形態に示す結合手段５０は、商品陳列具１０の係合部１２５及び商品仕切ユニット１７の係合部１７４が係脱可能にかつ摺動可能に係合するバー部材５０１と、このバー部材５０１の上方に位置して平行に延在する商品ころび止め部材５０２を備え、この商品ころび止め部材５０２の両端には、図１に示す棚板１１の係合溝１１１に係合する扁平な係合片５０３を形成し、さらに、バー部材５０１と商品ころび止め部材５０２の中間部には、両者間に差し渡し状態に延在する逆Ｕ字状の補強部材５０４が固着され、この補強部材５０４下端には、棚板１１の係合溝１１１に係合する扁平な係合片５０５が形成されている。このようにした結合手段５０の各係合片５０３及び５０５を棚板１１の係合溝１１１に圧入することにより、結合手段５０を棚板１１に固定できるようにしたものである。この第５の実施の形態に結合手段５０においては、上述した第１の実施の形態と同様な作用効果を得るほか、商品ころび止め部材５０２を備えることにより、結合手段５０に商品のころび止め機能を発揮させることができる。また、引き出し部材１４を陳列基台１２の前方に引き出す操作においても、バー部材５０１と商品ころび止め部材５０２との間に形成される空間を利用すればよく、当該結合手段５０がその操作の邪魔となることはない。
【００２６】
次に、図１６により本発明による結合手段の第６の実施の形態について説明する。図１６は本発明の第６の実施の形態における結合手段の正面図である。この第６の実施の形態に示す結合手段６０は、商品陳列具１０の係合部１２５及び商品仕切ユニット１７の係合部１７４が係脱可能にかつ摺動可能に係合するバー部材６０１と、このバー部材６０１の上方に位置して平行に延在する商品ころび止め部材６０２を備え、この商品ころび止め部材６０２の両端には、下方に延出するロッド６０３が設けられており、このロッド６０３を、図１に示す棚板１１の係合溝１１１に係合する下方に延出するロッド６０３が設けられており、このロッド６０３を、図１に示す棚板１１の係合溝１１１に係合することにより、結合手段６０を棚板１１に固定できるようにしたものである。この第６の実施の形態に結合手段６０においては、上述した第１の実施の形態と同様な作用効果を得るほか、商品ころび止め部材６０２を備えることにより、結合手段６０に商品のころび止め機能を発揮させることができる。
【００２７】
【発明の効果】
以上説明したように本発明の商品陳列具によれば、棚板の前端部に配設した結合手段に商品陳列具の係合部を係脱可能にかつ摺動可能に係合する構成にすることにより、商品陳列具の係合部を結合手段に係合したまま棚板から分離することなく棚板上の所望に位置に容易に移動でき、商品陳列具を棚板上の所望に位置に容易にセットできる。
これに伴い、商品陳列具の固定位置を変更する時、及び商品陳列具の間隔を調整する時の作業が容易になり、その作業時間も短縮できるとともに、商品陳列具の保管管理が容易になる。
また、本発明によれば、補助押圧部材により商品に対する商品押圧体の押圧面積を増減できるから、商品の形状や大きさに合わせて商品に対する商品押圧体の押圧面積を最適に設定できる。
また、本発明によれば、商品陳列具の陳列基台をマグネットにより棚板に吸着させることにより、商品陳列具を棚板上の希望の箇所に安定して固定することができる。  また、本発明によれば、結合手段に商品ころび止め部材を設けることにより、結合手段に商品のころび止め機能を発揮させることができる。
【図面の簡単な説明】
【図１】本発明の実施の形態における商品陳列具を棚板に組み付けた全体の構成を示す斜視図である。
【図２】本発明の実施の形態における商品陳列具の側面図である。
【図３】図２の平面図である。
【図４】図３のＡ−Ａ線に沿う拡大断面図である。
【図５】本発明の第１の実施の形態における結合手段の正面図である。
【図６】図５の左側面図である。
【図７】本発明の第２の実施の形態における結合手段の正面図である。
【図８】図７の左側面図である。
【図９】本発明の第３の実施の形態における結合手段の正面図である。
【図１０】図９の左側面図である。
【図１１】本発明の第４の実施の形態における結合手段の正面図である。
【図１２】図１１の左側面図である。
【図１３】本発明の第５の実施の形態における結合手段の正面図である。
【図１４】図１３の平面図である。
【図１５】図１３の左側面図である。
【図１６】本発明の第６の実施の形態における結合手段の正面図である。
【符号の説明】
１０    商品陳列具
１１    陳列棚
１１１  係合溝
１１２  係合孔
１２    陳列基台
１２２  ガイド溝
１２５  係合部
１３    商品押圧体
１３１  基部
１３２  主押圧部材
１３３  補助押圧部材
１３５  長孔
１４    引き出し部材
１４１  操作つまみ
１４２  係合部
１４４  コイルばね１４４（付勢手段）
１５    結合手段
１５１  バー部材
１５２  係合片
１７    商品仕切ユニット
１７１  基板
１７３  商品前倒れ防止板
１７４  係合部
２０、  ３０、４０、５０、６０  結合手段
【図１】
0004149029.tif 000002
【図２】
0004149029.tif 000003
【図３】
0004149029.tif 000004
【図４】
0004149029.tif 000005
【図５】
0004149029.tif 000006
【図６】
0004149029.tif 000007
【図７】
0004149029.tif 000008
【図８】
0004149029.tif 000009
【図９】
0004149029.tif 000010
【図１０】
0004149029.tif 000011
【図１１】
0004149029.tif 000012
【図１２】
0004149029.tif 000013
【図１３】
0004149029.tif 000014
【図１４】
0004149029.tif 000015
【図１５】
0004149029.tif 000016
【図１６】
0004149029.tif 000017